(57)【要約】【課題】第一、第二平形挟持板を形成する多数の細長導電セグメントの個々を第一、第二平形プラグの対向する平面に均一に加圧接触せしめる電力供給用平形コネクタを提供する。【解決手段】第一平形挟持板２を形成する細長導電セグメント１群の一端側に同セグメント１個々の上下変位量を設定する第一上下変位制限軸９を遊貫挿すると共に、同他端側に同セグメント１個々の上下変位量を設定する第二上下変位制限軸１０を遊貫挿し、同様に上記第二平形挟持板３を形成する細長導電セグメント１群の一端側に同セグメント１個々の上下変位量を設定する第三上下変位制限軸１１を遊貫挿すると共に、同他端側に同セグメント１個々の上下変位量を設定する第四上下変位制限軸１２を遊貫挿した電力供給用平形コネクタ。【選択図】        図５
2009218063.tif 000002
【特許請求の範囲】
【請求項１】
多数本の細長導電セグメントを左右方向に並列して成る第一平形挟持板を備え、同様に多数本の細長導電セグメントを左右方向に並列して成る第二平形挟持板を備え、上記第一、第二平形挟持板を上下に対向配置して第一、第二平形挟持板の一端間に第一平形プラグ挿入口を形成すると共に同他端間に第二平形プラグ挿入口を形成し、該第一、第二平形プラグ挿入口に挿入した第一、第二平形プラグに上記細長導電セグメントを加圧接触させるためのバネ手段を備えた電力供給用平形コネクタにおいて、上記第一平形挟持板を形成する細長導電セグメント群の一端側に同セグメント個々の上下変位量を設定する第一上下変位制限軸を遊貫挿すると共に、同他端側に同セグメント個々の上下変位量を設定する第二上下変位制限軸を遊貫挿し、同様に上記第二平形挟持板を形成する細長導電セグメント群の一端側に同セグメント個々の上下変位量を設定する第三上下変位制限軸を遊貫挿すると共に、同他端側に同セグメント個々の上下変位量を設定する第四上下変位制限軸を遊貫挿したことを特徴とする電力供給用平形コネクタ。
【請求項２】
上記第一、第二平形挟持板の左側面側に配した第一フレームを備えると共に、同右側面側に配した第二フレームを備え、該第一、第二フレーム間に上記第一乃至第四上下変位制限軸中の少なくとも第一、第二上下変位制限軸の両端を支持したことを特徴とする請求項１記載の電力供給用平形コネクタ。
【請求項３】
上記第一、第二フレーム間において上記細長導電セグメント群の上下面を開放したことを特徴とする請求項２記載の電力供給用平形コネクタ。
【請求項４】
上記左右に隣接する細長導電セグメント間にスペーサーを介在し、該スペーサーの介在により各細長導電セグメント間に通気間隙を形成したことを特徴とする請求項１記載の電力供給用平形コネクタ。
【請求項５】
上記バネ手段は上記第一、第二平形挟持板を形成する細長導電セグメント群を第一平形プラグ挿入口を縮閉する方向に弾持する第一バネ手段と、同細長導電セグメント群を第二平形プラグ挿入口を縮閉する方向に弾持する第二バネ手段とから成ることを特徴とする請求項１記載の電力供給用平形コネクタ。
【発明の詳細な説明】
【技術分野】
【０００１】
本発明は電源側プラグと機器側プラグとの接続に供する電力供給に適した平形コネクタに関する。
【背景技術】
【０００２】
従来のこの種電力供給用コネクタは、特許文献１，２，３に例示されるように円筒形を呈し、該円筒形コネクタの一端と他端に円柱形プラグ（円柱形バスバー）を挿入して接触を得る基本構造を有している。
【０００３】
詳述すると、特許文献１，２，３は多数の細長導電セグメントを円筒形に配列して円筒形コネクタを形成し、該円筒形コネクタの外周面にスプリングバンドを巻き付け、該スプリングバンドの緊縮力により各細長導電セグメントを円筒形に結束し、該円筒形コネクタの円筒孔の一端開口部から該円筒孔内へ第一円柱形プラグ（円柱形バスバー）を上記スプリングバンドに抗し圧挿して各細長導電セグメントの一端内周面に加圧接触せしめると共に、同円筒孔の他端開口部から同円筒孔内へ第二円柱形プラグを上記スプリングバンドに抗し圧挿して各細長導電セグメントの他端内周面に加圧接触せしめ、該第一、第二円柱形プラグの圧挿により上記円筒形コネクタを拡径して上記各細長導電セグメントの隣接縁間に軸線方向に延びる間隙を形成する構成を有する電力供給用円筒形コネクタを示している。
【０００４】
他方特許文献４は多数本の細長導電セグメントを左右方向に並列して第一平形挟持板を形成すると共に、同様に多数本の細長導電セグメントを左右方向に並列して第二平形挟持板を形成し、上記第一、第二平形挟持板を上下に対向するように配して第一、第二平形挟持板の一端間に第一平形プラグ挿入口を形成すると共に、同他端間に第二平形プラグ挿入口を形成し、該第一、第二平形プラグ挿入口に挿入した第一、第二平形プラグ（平形バスバー）の対向する平面に上記細長導電セグメントを加圧接触させるためのバネ手段を備えた電力供給用平形コネクタを示している。
【０００５】
【特許文献１】特開平１１−２０４１５９号公報
【特許文献２】特開２０００−３１５５４３号公報
【特許文献３】特開２００５−３２５９０号公報
【特許文献４】特開２００７−２７０３３号公報
【発明の開示】
【発明が解決しようとする課題】
【０００６】
特許文献１乃至３に示す電力供給用円筒形コネクタは、各セグメントの接触突部が円柱形プラグの円周面の円弧面に加圧接触する接触構造であり、各セグメントの接触突部と円柱形プラグの円弧面との接触が不均一になる問題を有している。
【０００７】
又スプリングバンドの緊縮力が円筒形コネクタの径方向に均一に作用せず、上記各セグメントの接触圧のバラツキを助長する問題点を有している。
【０００８】
又上記円筒形コネクタでは径大となり、占有スペースが径方向に過大となる問題を有している。
【０００９】
他方特許文献４に示す電力供給用平形コネクタは、第一、第二平形プラグの対向する広い平面と第一、第二平形挟持板を形成するセグメント群の加圧接触が可能であり、安定な接触性能を得ることができると共に、全体を薄形にできる利点を有する。
【課題を解決するための手段】
【００１０】
本発明は上記特許文献４に示す電力供給用平形コネクタを基本構造として採用しつつ、更に第一、第二平形挟持板を形成する細長導電セグメント群が上記第一、第二平形プラグの対向する各平面に健全に加圧接触するように、改善を施した電力供給用平形コネクタを提供するものである。
【００１１】
本発明に係る電力供給用平形コネクタは、特許文献４に示す、多数本の細長導電セグメントを左右方向に並列して成る第一平形挟持板を備えると共に、同様に多数本の細長導電セグメントを左右方向に並列して成る第二平形挟持板を備え、上記第一、第二平形挟持板を上下に対向配置して第一、第二平形挟持板の一端間に第一平形プラグ挿入口を形成すると共に同他端間に第二平形プラグ挿入口を形成し、該第一、第二平形プラグ挿入口に挿入した第一、第二平形プラグに上記細長導電セグメントを加圧接触させるためのバネ手段を備えた電力供給用平形コネクタの構成を基本構造として採用する。
【００１２】
そして上記第一平形挟持板を形成する細長導電セグメント群の一端側に同セグメント個々の上下変位量を設定する第一上下変位制限軸を遊貫挿すると共に、同他端側に同セグメント個々の上下変位量を設定する第二上下変位制限軸を遊貫挿し、同様に上記第二平形挟持板を形成する細長導電セグメント群の一端側に同セグメント個々の上下変位量を設定する第三上下変位制限軸を遊貫挿すると共に、同他端側に同セグメント個々の上下変位量を設定する第四上下変位制限軸を遊貫挿した電力供給用平形コネクタを提供する。
【００１３】
上記第一、第二平形挟持板を形成する細長導電セグメント群の個々は、上記両端に遊貫挿した第一乃至第四上下変位制限軸に対するセグメント個々の遊びの範囲内において上下に変位可能であり、該上下変位により第一、第二平形プラグの対向する平面に均一に加圧接触することができる。
【００１４】
上記第一、第二平形挟持板の左側面側に配した第一フレームを備えると共に、同右側面側に配した第二フレームを備え、該第一、第二フレーム間に上記第一乃至第四上下変位制限軸中の少なくとも第一、第二上下変位制限軸の両端を支持する。
【００１５】
上記一方の平形挟持板及び該平形挟持板を形成する細長導電セグメント個々は、上記両端をフレームに支持された第一、第二上下変位制限軸に対する遊びの範囲で上下変位が可能である。
【００１６】
又は上記第一、第二平形挟持板及び該各平形挟持板を形成する細長導電セグメント個々は、上記両端をフレームに支持された第一乃至第四上下変位制限軸に対する遊びの範囲で上下変位が可能である。
【００１７】
上記第一、第二フレーム間において上記第一、第二平形挟持板の上下面（同細長導電セグメント群の上下面）を開放し、接触部の発熱の冷却効果を向上する。
【００１８】
又上記冷却効果を更に向上する手段として、上記隣接する細長導電セグメント間にスペーサーを介在し、該スペーサーの介在により各細長導電セグメント間に通気間隙を形成し、該通気間隙を上記第一、第二フレーム間において開放する。
【００１９】
又上記バネ手段の適例として、上記第一、第二平形挟持板を形成する細長導電セグメント群を第一平形プラグ挿入口を縮閉する方向に弾持する第一バネ手段と、同細長導電セグメント群を第二平形プラグ挿入口を縮閉する方向に弾持する第二バネ手段にて形成し、該第一、第二バネ手段の協働により第一、第二プラグ挿入口に挿入された第一、第二平形プラグの対向する平面との均一な加圧接触を図る。
【発明を実施するための最良の形態】
【００２０】
以下本発明に係る電力供給用平形コネクタの具体構造例を図１乃至図１５に基づき説明する。図１乃至図５は本発明の第一実施形態例、図６乃至図１０は本発明の第二実施形態例、図１１乃至図１５は本発明の第三実施形態例を示す。
【００２１】
第一乃至第三実施形態例において、導電金属から成る細長導電セグメント１は略矩形の断面形状を有する導電金属バー、例えば銅製バーの表面に銀メッキ等の良導電体被膜を施した導電金属バーから成り、両端に接触用突起１４を有する。
【００２２】
図１と図３、図６と図８、図１１と図１３に示すように、上記細長導電セグメント１を左右方向に多数本並列して第一平形挟持板２を形成する。
【００２３】
同様に多数本の細長導電セグメント１を左右方向に並列に配して第二平形挟持板３を形成する。
【００２４】
上記第一平形挟持板２を形成する細長導電セグメント１の本数と第二平形挟持板３を形成する細長導電セグメント１の本数は互いに同数にする。又は第一、第二平形挟持板２，３の一方の細長導電セグメント１の本数を多くし、他方を少なくすることができる。
【００２５】
又第一平形挟持板２を構成する各細長導電セグメント１と、第二平形挟持板３を構成する各細長導電セグメント１は互いに正対せしめる。又は左右方向に限定された範囲で位相をずらして配置することができる。
【００２６】
上記第一、第二平形挟持板２，３はその板面が上下に対向するように配置して前後に連通する対向間隔１８を形成し、該対向間隔１８の一端、即ち第一、第二平形挟持板２，３の一端間に第一平形プラグ挿入口４を形成すると共に、対向間隔の他端、即ち第一、第二平形挟持板２，３の他端間に第二平形プラグ挿入口５を形成する。該対向間隔１８は該第一、第二平形プラグ挿入口４，５において前後に開放されている。
【００２７】
他方上記隣接する各細長導電セグメント１の側面間に同セグメント１の延在方向に延在する通気間隙１７を存して並列配置する。該通気間隙１７と上記対向間隔１８とは互いに連通し、放熱効果を向上する。但し、隣接する細長導電セグメント１の側面を互いに接触しつつ並列配置する場合を除外するものではない。
【００２８】
上記第一、第二平形プラグ挿入口４，５に第一、第二平形プラグ６，７がバネ手段８の弾力に抗して挿入され、該バネ手段８の弾力により該第一、第二平形プラグ６，７の上下平面に、第一、第二平形挟持板２，３の各セグメント１を接触用突起１４を以って加圧接触せしめる。
【００２９】
上記加圧接触力を得るためのバネ手段８の適例としてコイルバネを用いる。該バネ手段８は、第一、第二平形挟持板２，３を形成する各細長導電セグメント１の接触用突起１４を第一、第二平形プラグ６，７の平面に対し押し付ける方向に作用する引っ張りバネ又は同様に作用する押圧バネである。
【００３０】
第一乃至第三実施形態例においては、コイルバネ８にて第一平形挟持板２の各細長導電セグメント１と第二平形挟持板３の各細長導電セグメント１とを対向方向に引っ張り、第一、第二平形プラグ６，７の平面に加圧接触せしめるようにした場合を例示している。
【００３１】
上記バネ手段８は上記第一、第二平形挟持板２，３を形成する細長導電セグメント１群を第一平形プラグ挿入口４を縮閉する方向に弾持する第一バネ手段８ａと、同細長導電セグメント１群を第二平形プラグ挿入口５を縮閉する方向に弾持する第二バネ手段８ｂとから成る。
【００３２】
上記コイルバネ８を引っ張りバネとして用いた具体構造例については更に後述する。
【００３３】
第一乃至第三実施形態例に示すように、上記第一平形挟持板２を形成する細長導電セグメント１群の一端側に各セグメント１の上下変位量を設定する第一上下変位制限軸９を遊貫挿すると共に、同他端側に各セグメント１の上下変位量を設定する第二上下変位制限軸１０を遊貫挿する。
【００３４】
同様に上記第二平形挟持板３を形成する細長導電セグメント１群の一端側に各セグメントの上下変位量を設定する第三上下変位制限軸１１を遊貫挿すると共に、同他端側に各セグメント１の上下変位量を設定する第四上下変位制限軸１２を遊貫挿する。
【００３５】
再述すると、図４、図９、図１４に示すように、各細長導電セグメント１の両端に大径の孔１３を設け、該大径の孔１３に小径の上記第一乃至第四上下変位制限軸９，１０，１１，１２を夫々遊貫挿し、径差の範囲で第一、第二平形挟持板２，３を形成する各セグメント１の上下変位を許容する。該大径の孔１３とは真円孔又は上下に長い楕円孔を含む。
【００３６】
第一乃至第三実施形態例に示すように、上記第一、第二平形挟持板２，３の左側面側に第一フレーム１５を配設すると共に、同右側面側に第二フレーム１６を配設する。
【００３７】
第一、第三実施形態例に示すように、上記第一、第二フレーム１５，１６間に上記第一乃至第四上下変位制限軸９，１０，１１，１２中の、少なくとも第一、第二上下変位制限軸９，１０の両端を支持する。
【００３８】
これに対し第二実施形態例は、第一乃至第四上下変位制限軸９，１０，１１，１２の何れもフレーム１５，１６に対し固定支持しない。
【００３９】
又上記第一、第二フレーム１５，１６間の平面スペースにおいて上記細長導電セグメント１群の上下面乃至通気間隙１７を開放し、放熱に資する。
【００４０】
図１乃至図５に示す第一実施形態例においては、上記第一、第二フレーム１５，１６間に上記第一平形挟持板２に遊貫挿した第一、第二上下変位制限軸９，１０の両端を支持し、同様に上記第一、第二フレーム１５，１６間に上記第二平形挟持板３に遊貫挿した第三、第四上下変位制限軸１１，１２の両端を支持し、該第一、第二フレーム１５，１６間に両端を支持した第一乃至第四上下変位制限軸９，１０，１１，１２にて第一、第二平形挟持板２，３の対向間隔１８を保ち、各細長導電セグメント１が第一乃至第四上下変位制限軸９，１０，１１，１２に対し、遊びの範囲で上下変位可能である。
【００４１】
図５Ａに示すように、上記各細長導電セグメント１は第一、第二平形プラグ挿入口４，５の一方に第一、第二平形プラグ６，７の一方が圧入された時、該一方の挿入口４を拡大し、他方の挿入口５を縮小するように、孔１３の内面が上下変位制限軸９，１０，１１，１２に当接するまで揺動変位する。即ち第一、第二平形挟持板２，３を形成する細長導電セグメント１個々はその両端において上下の揺動変位が可能である。
【００４２】
又図５Ｂに示すように、上記第一、第二平形挟持板２，３を形成する各細長導電セグメント１は、第一、第二平形プラグ挿入口４，５の双方に第一、第二平形プラグ６，７が圧入された時、該双方の挿入口４，５を拡大するように、孔１３の内面が上下変位制限軸９，１０，１１，１２に当接するまで、離間する方向へ並行に上下変位可能である。即ち細長導電セグメント１群全体及び個々が上下に並行変位可能である。
【００４３】
上記揺動上下変位と並行上下変位とが複合して惹起され、突起１４をプラグ平面に可及的に並行当たりせしめる。
【００４４】
上記第一、第二フレーム１５，１６は第一平形挟持板２の外側面に沿って延びる上部フレーム部分２２と、第二平形挟持板３の外側面に沿って延びる下部フレーム部分２３と、上下フレーム部分２２，２３を中間部において連結する中間フレーム部分２４とから成り、従って全体としてＨ形を呈し、上記左右に配した上部フレーム部分２２間に上記第一、第二上下変位制限軸９，１０の両端を支持し、上記左右に配した下部フレーム部分２３間に上記第三、第四上下変位制限軸１１，１２の両端を支持し、上記対向間隔１８を側面においても開放する通気口２８を形成する。
【００４５】
上記第一、第二平形プラグ６，７はその先端面の両側を上記中間フレーム部分２４に突き当てて挿入深さを設定する。
【００４６】
次に図９、図１０に示す第二実施形態例においては、上記第一、第二平形挟持板２，３を第一、第二支点軸１９，２０を支点として上下に揺動できるように支持した場合を例示している。
【００４７】
詳述すると、上記第一平形挟持板２の左右方向の中央線上に第一支点軸１９を配すると共に、上記第二平形挟持板３の左右方向の中央線上に第二支点軸２０を配し、第一支点軸１９に第一平形挟持板２を支持し、第二支点軸２０に第二平形挟持板３を支持する。
【００４８】
好ましくは図９、図１０に示すように、第一平形挟持板２を形成する細長導電セグメント１の個々の下辺に、左右方向の中央線上において連通する凹欠部２１を設け、該凹欠部２１に上記第一支点軸１９を滑合すると共に、第二平形挟持板３を形成する細長導電セグメント１の個々の上辺に、左右方向の中央線上において連通する凹欠部２１を設け、該凹欠部２１に上記第二支点軸２０を滑合し、第一、第二支点軸１９，２０の各両端を第一フレーム１５と第二フレーム１６間に支持する。上記細長導電セグメント１は全て同一構造であり、反転して使用する。
【００４９】
上記第一、第二平形挟持板２，３は図１０Ａに示すように、上記第一、第二支点軸１９，２０を支点として両端が揺動上下変位できる。又図１０Ｂに示すように、凹欠部２１が第一、第二支点軸１９，２０から離間する方向に並行上下変位できる。
【００５０】
第一、第二平形プラグ６，７の一方を第一、第二平形プラグ挿入口４，５の一方に挿入した時、上記揺動上下変位が可能であり、第一、第二平形プラグ６，７の双方を第一、第二平形プラグ挿入口４，５に挿入した時、上記並行上下変位が可能である。
【００５１】
よって第一、第二平形プラグ６，７の双方が第一、第二平形プラグ挿入口４，５に挿入されている時、第一乃至第四上下変位制限軸９，１０，１１，１２の遊貫挿により許容された範囲で第一、第二平形挟持板２，３がバネ手段８に抗して並行上下変位を惹起し、第一、第二平形プラグ６，７の平面に対する並行当たりが得られることは前記図５Ｂに基づいて説明した通りである。
【００５２】
上記第二実施形態例においては、第一、第二平形挟持板２，３の両端が第一、第二支点軸１９，２０を支点として揺動可能であり、同時に第一乃至第四上下変位制限軸９，１０，１１，１２と孔１３の許容する範囲でセグメント１個々が並行上下変位と揺動上下変位が可能である。
【００５３】
上記第一、第二フレーム１５，１６は上記第一、第二支点軸１９，２０の両端を支持するに足る形態にし、上記第一、第二平形挟持板２，３の対向間隔１８を左右側面においても開放する通気口２８を形成する。
【００５４】
上記第一、第二平形プラグ６，７はその先端面の両側を上記フレーム１５，１６の中間に突き当てて挿入深さを設定する。
【００５５】
次に図１２乃至図１５に示す第三実施形態例においては、上記第一、第二フレーム１５，１６間に上記第一平形挟持板２に遊貫挿した第一、第二上下変位制限軸９，１０の両端を支持し、又は上記第一、第二フレーム１５，１６間に上記第二平形挟持板２に遊貫挿した第三、第四上下変位制限軸１１，１２の両端を支持し、他方の平形挟持板の上下変位制限軸をフレームに支持せずに、第二実施形態例に示す支点軸１９で揺動上下変位可に支持した場合を示している。
【００５６】
図１５Ａ，Ｂに示すように、上記上下変位制限軸の両端をフレーム１５，１６に支持された一方の平形挟持板は、該制限軸の遊貫挿範囲において上下変位可能（揺動上下変位と並行上下変位可能）であり、他方の平形挟持板は支点軸１９を支点として上下変位可能（揺動上下変位と並行上下変位可能）である。
【００５７】
上記第三実施形態例においては、第一、第二平形プラグ挿入口４，５の一方に第一、第二平形プラグ６，７の一方が圧挿された時、一方の平形挟持板は孔１３内面が上下変位制限軸に当接するまで拡口方向へ揺動上下変位し、他方の平形挟持板は支点軸１９を支点として拡口方向へ揺動上下変位し、よって一方の挿入口４を拡大し、他方の挿入口５を縮小する。
【００５８】
又上記第三実施形態例においては、第一、第二平形プラグ挿入口４，５の双方に第一、第二平形プラグ６，７が圧入された時、第一、第二平形挟持板２，３は第一乃至第四上下変位制限軸９，１０，１１，１２によって許容される範囲において上方と下方に並行変位（間隔を拡大する方向へ並行変位）し、バネ手段８の弾力に従い突起１４をプラグ平面に可及的に並行当たりせしめる。
【００５９】
この時、支点軸１９に支持された平形挟持板は支点軸１９から離間する方向へ上方へ変位する。
【００６０】
上記第一、第二フレーム１５，１６は第一、第二平形挟持板２，３の一方の外側面に沿って延びるフレーム部分２２と、該フレーム部分２２の中間部から垂直に立ち上げられた中間フレーム部分２４とから成り、従って全体としてＴ形フレームにし、上記フレーム部分２２間に上記第一、第二上下変位制限軸９，１０の両端又は第三、第四上下変位制限軸１１，１２の両端を支持し、上記支点軸１９の両端を中間フレーム部分２４に支持する。
【００６１】
又上記フレーム構造によって、上記対向間隔１８を側面の通気口２８において開放し、放熱効果の向上に資する。
【００６２】
上記第一、第二平形プラグ６，７はその先端面の両側を上記中間フレーム部分２４に突き当てて挿入深さを設定する。
【００６３】
上記第二、第三実施形態例における支点軸１９，２０は凹欠部２１に脱出可能に滑合した場合を示したが、同支点軸１９，２０を第一、第二平形挟持板２，３の左右方向に延びる中央線上に貫通した孔内に遊貫挿し、上下への変位を許容する構成とする場合を排除するものではない。
【００６４】
次にバネ手段８として引っ張りバネ又は押圧バネの何れを使用する場合においても、特許文献４に示すように、第一平形挟持板２の各セグメント１と第二平形挟持板３の各セグメント１の個々に弾力を与えるバネ手段を設ける方法を採ることができる。
【００６５】
第一乃至第三実施形態例においては、上記第一、第二平形挟持板２，３を形成する隣接する複数本の細長導電セグメント１を一単位とし、複数単位の細長導電セグメント１を各単位毎に上下方向に変位できるように各単位毎に軸支し、各単位毎に上記バネ手段８を設け、バネの数を削減した例を示している。
【００６６】
詳述すると、図１、図６、図１１等に示すように、第一、第二平形挟持板２，３を形成する隣接する複数本（図示の例では２本）の細長導電セグメント１…を一単位として複数単位に分け、該各単位細長導電セグメント１…の側面を貫通せる孔２６に連結ピン２５を緩貫挿し、該連結ピン２５を介して連装された各単位細長導電セグメント１…毎にバネ手段８を設けて、該バネ手段８に抗し又は従い、各単位毎に上下に変位できるようにする。
【００６７】
上記孔２６はセグメント１毎に一端寄り又は他端寄りに一箇所設けておけば、反転することにより併用可能である。
【００６８】
上記バネ手段８は何れの実施形態例においても、第一、第二上下変位制限軸９，１０の間（内側）と第三、第四上下変位制限軸１１，１２の間（内側）に配し、好ましくは左右方向の中央線付近に配し、該中央線を境に千鳥配置にし、即ち中央線を境にバランス配置し、第一、第二平形挟持板２，３の一端側連結ピン２５を夫々上下に正対して配すると共に、同他端側連結ピン２５を夫々上下に正対して配し、該正対せる連結ピン２５にバネ手段８を作用させることにより、一個のバネ手段８で単位となる複数本の細長導電セグメント１に同時に弾力を与えることができるようにすると共に、中央線を境に各単位に加わるバネ作用をバランスせしめる。
【００６９】
上記中央線を境にした一方のバネ手段８ａの弾力は上下変位制限軸９，１１を介して全セグメント１に作用し、同様に他方のバネ手段８ｂの弾力は上下変位制限軸１０，１２を介して全セグメント１に作用する。
【００７０】
上記バネ手段８として、例えばコイルバネ８を用い、該コイルバネ８の一端を第一平形挟持板２側の連結ピン２５に掛け止めすると共に、同コイルバネ８の他端を第二平形挟持板３側の対応する連結ピン２５に掛け止めし、コイルバネ８の弾力が各単位の連結ピン２５を介して複数本のセグメント１に及ぶようにする。
【００７１】
上記連結ピン２５の両端面は隣接する単位のセグメント１の側面に単に当接せしめて脱落を防止すると共に、単位毎の自由な上下変位を許容する。
【００７２】
単位を形成する複数本のセグメント１は連結ピン２５を介して単位毎に上下変位可能であると共に、セグメント１個々が上下変位制限軸９，１０，１１，１２に対して上下変位可能である。
【００７３】
上記上下変位制限軸９，１０，１１，１２はセグメント１群を並列状態に保持する作用と、平形プラグ６，７の平面に対し並行当たりせしめる作用を有する。
【００７４】
又平形プラグ６，７の表裏面は見かけ上平面であっても、平面度、平滑度に欠け、凹凸を有する場合が多く、上記セグメント１個々が上下変位することにより、この凹凸を吸収し、健全なる加圧接触を果たす作用が期待できる。
【００７５】
又上記左右に隣接する細長導電セグメント１間にスペーサー２７を介在し、該スペーサー２７の介在により各細長導電セグメント１間に通気間隙１７を形成する。
【００７６】
好ましくは上記した第一乃至第四上下変位制限軸９，１０，１１，１２にスペーサー２７（丸座板）を貫挿しつつ、隣接するセグメント１の側面間に介在する。
【００７７】
上記通気間隙１７は対向間隔１８及び第一、第二平形挟持板２，３の側面間に形成された通気口２８と互いに連通する。
【００７８】
第一乃至第三実施形態例の説明において用いた上下とは、本発明に係る電力供給用平形コネクタの設置姿勢に拘わらず、第一、第二平形挟持板２，３が変位する方向を上下方向としたものである。
【図面の簡単な説明】
【００７９】
【図１】本発明に係る第一実施形態例を示す電力供給用平形コネクタの平面図。
【図２】同側面図。
【図３】同正面図。
【図４】細長導電セグメントの側面図。
【図５】Ａは第一乃至第四上下変位制限軸に対する細長導電セグメントの揺動上下変位を、Ｂは同セグメントの並行上下変位を夫々説明する側面図。
【図６】本発明に係る第二実施形態例を示す電力供給用平形コネクタの平面図。
【図７】同側面図。
【図８】同正面図。
【図９】細長導電セグメントの側面図。
【図１０】Ａは第一、第二支点軸に対する細長導電セグメントの揺動上下変位を、Ｂは同セグメントの並行上下変位を夫々説明する側面図。
【図１１】本発明に係る第三実施形態例を示す電力供給用平形コネクタの平面図。
【図１２】同側面図。
【図１３】同正面図。
【図１４】細長導電セグメントの側面図。
【図１５】Ａは細長導電セグメントの揺動上下変位を説明する側面図、Ｂは同並行上下変位を説明する側面図。
【符号の説明】
【００８０】
１…細長導電セグメント、２…第一平形挟持板、３…第二平形挟持板、４…第一平形プラグ挿入口、５…第二平形プラグ挿入口、６…第一平形プラグ、７…第二平形プラグ、８…バネ手段、コイルバネ、８ａ…第一バネ手段、８ｂ…第二バネ手段、９…第一上下変位制限軸、１０…第二上下変位制限軸、１１…第三上下変位制限軸、１２…第四上下変位制限軸、１３…大径孔、１４…接触用突起、１５…第一フレーム、１６…第二フレーム、１７…通気間隙、１８…対向間隔、１９…第一支点軸、２０…第二支点軸、２１…凹欠部、２２…上部フレーム部分、２３…下部フレーム部分、２４…中間フレーム部分、２５…連結ピン、２６…孔、２７…スペーサー、２８…通気口。
【図１】
2009218063.tif 000003
【図２】
2009218063.tif 000004
【図３】
2009218063.tif 000005
【図４】
2009218063.tif 000006
【図５】
2009218063.tif 000007
【図６】
2009218063.tif 000008
【図７】
2009218063.tif 000009
【図８】
2009218063.tif 000010
【図９】
2009218063.tif 000011
【図１０】
2009218063.tif 000012
【図１１】
2009218063.tif 000013
【図１２】
2009218063.tif 000014
【図１３】
2009218063.tif 000015
【図１４】
2009218063.tif 000016
【図１５】
2009218063.tif 000017